(57)【要約】【課題】交換に際して、本体は既設のものを使用可能な自動販売機に配置するペットボトル見本を提供する。【課題の解決手段】ペットボトル見本１は、胴部２中心を挟んで相対する位置の周壁に一体的に形成した一対の被係止部３を設けた本体４と、前記各被係止部３に各係止する一対の係止部５を有し、表面に販売商品に表示された商品名やデザインや文字などとほぼ同一の表示を有する軟質樹脂シートで形成したラベル体６とからなる。前記本体４のそれぞれの被係止部３は、本体４の胴部２に一体形成した凹所７を設け、この凹所７の一方縁の上下部位に、離脱阻止縁８を突設してなる一方、ラベル体６のそれぞれの係止部５は、先端の上下部位に係止片９を突設し、この係止片９が前記各凹所７に挿入可能で、かつ前記各離脱阻止縁８に係止しうるように形成する。【選択図】    図１
2004152019.tif 000002
【特許請求の範囲】
【請求項１】
胴部中心を挟んで相対する位置の周壁に一体的に形成した一対の被係止部を設けたボトル状の本体と、両側縁から突出させ、前記各被係止部にそれぞれ係止する一対の係止部を有し、表面に販売商品に表示された商品名やデザインや文字などとほぼ同一の表示を有する軟質樹脂シートで形成したラベル体とからなる自動販売機に配置するペットボトル見本であって、本体のそれぞれの被係止部は、本体の胴部に一体形成した凹所の一縁の上下部位に、離脱阻止縁を突設してなる一方、ラベル体のそれぞれの係止部は、先端の上下部位に係止片を突設し、この係止片が前記各凹所に挿入可能で、かつ前記各離脱阻止縁に係止しうるように形成したことを特徴とする自動販売機に配置するペットボトル見本。
【発明の詳細な説明】
【０００１】
【発明の属する技術分野】
本発明は、自動販売機の商品購入者が、購入したいペットボトルを視認して選択するための、自動販売機のディスプレイ内に配置するペットボトル見本に関する。
【０００２】
【従来の技術】
従来のこの種ペットボトル見本は、販売商品と同様の容器を用い、販売商品に表示された商品名やデザインや文字などとほぼ同一の表示を有するラベルを外周面に固着してなるもので、販売商品ごとに作成するのが一般的である。そして、このペットボトル見本は、自動販売機正面のディスプレイの配置棚に交換可能に配置される（特許文献１）。
【０００３】
【特許文献１】
特開２０００−１３２７４０号公報
【０００４】
【発明が解決しようとする課題】
上記従来の一般的なペットボトル見本は、自動販売機の設置数増加にともない、新しい見本と交換する際には、作業員は多数の新しい見本を持参し、多くの自動販売機をまわるため、前記新しい見本と持ち帰る古い見本が嵩張り、それらの運搬や取り扱いが容易ではないという問題があった。本発明は、このような事情に鑑みてなされたもので、運搬が容易で、ラベル体の交換作業に手間がかからない自動販売機に配置するペットボトル見本を提供することを目的とする。
【０００５】
【課題を解決するための手段】
この目的を達成するため、本発明の請求項１に係る自動販売機に配置するペットボトル見本は、胴部中心を挟んで相対する位置の周壁に一体的に形成した一対の被係止部を設けたボトル状の本体と、両側縁から突出させ、前記各被係止部にそれぞれ係止する一対の係止部を有し、表面に販売商品に表示された商品名やデザインや文字などとほぼ同一の表示を有する軟質樹脂シートで形成したラベル体とからなり、本体のそれぞれの被係止部は、本体の胴部に一体形成した凹所の一縁の上下部位に、離脱阻止縁を突設してなる一方、ラベル体のそれぞれの係止部は、先端の上下部位に係止片を突設し、この係止片が前記各凹所に挿入可能で、かつ前記各離脱阻止縁に係止しうるように形成したことを特徴とするものである。
【０００６】
【発明の実施の形態】
以下、本発明の好適な実施形態を添付図面の図１〜図５に基づいて詳細に説明する。ここにおいて、図１はペットボトル見本の組み立てる前の状態を示す斜視図、図２はペットボトル本体の正面図、図３はラベル体の裏面図、図４は組み立てた状態のペットボトル見本の側面図、図５は図４のＡ−Ａ線断面図である。
【０００７】
図１〜図５に示すように、ペットボトル見本１は、胴部２中心を挟んで相対する位置の周壁に一体的に形成した一対の被係止部３を設けたボトル状の本体４と、その両側縁から突出させ、前記各被係止部３にそれぞれ係止する一対の係止部５を有し、表面に販売商品に表示された商品名やデザインや文字などとほぼ同一の表示（図示せず）を有する軟質樹脂シートで形成したラベル体６とからなる。
【０００８】
図１〜図５に示すように、本体４は、一般のペットボトルを作成するのと同様に、合成樹脂の一体成型によって作成するもので、それぞれの被係止部３は、本体４の胴部２の所定部分に内形が角形の凹所７を設け、この凹所７の一方縁の上下部位に、離脱阻止縁８を突設してなる。この各離脱阻止縁８は、胴部２の外周面と同じ高さに位置し、前記凹部７の一部を覆うように形成されている。一方、ラベル体６は、軟質合成樹脂製のシート材を前記本体４の外周形状にほぼ対応させるように湾曲形成し、その各係止部５は、先端の上下部位に係止片９を突設し、この係止片９の先端が前記各凹所７に挿入可能で、かつ前記各離脱阻止縁８に係止しうるように形成する。このラベル体６は、複数枚を重ね合わせてもコンパクトであって、多数枚をケースなどに収容して運搬することが容易である。
【０００９】
以上のように構成した本体４とラベル体６によってペットボトル見本１を組み立てるには、ラベル体６の外面側（表示を設けた側）を手のひらに当て軽く握るようにして持ち、適当に撓ませながら、本体４の外周のほぼ半分を覆うように、被係止部３の凹所７の離脱阻止縁８側から被せ、先ずどちらか片方の係止部５の係止片９を、本体４の対応位置する凹所７に挿入し、引くようにして前記凹所７の離脱阻止縁８に係止させる。さらにもう片方の係止部５の係止片９を対応位置する離脱阻止縁８に押し付け、軟質樹脂シート材の特性をいかして湾曲させた反動を持って、係止片９を離脱阻止縁８に係止させる。このように、被係止部３に係止部５が係止することによって、本体４にラベル体６が取り付けられるのである。そして、上記のように組み立てたペットボトルは、自動販売機のディスプレイ（図示せず）を開き、配置棚に固定する。
【００１０】
また、本体４からラベル体６を外すには、各係止部５を持ち上げるようにして湾曲させ、その反動をもって凹所７から抜き出す。そして、交換に際しては、ペットボトルを前記配置棚から取り出し、本体４からラベル体６を前述のように外し、新たな表示内容を有するラベル体６を前述のように取り付け、前記配置棚（図示せず）に固定する。このように、交換に際して作業員は、本体４は今まで配置してあったペットボトル見本のものを使用し、新たなラベル体６だけを持参すればよい。
【００１１】
【発明の効果】
以上説明したところで明らかなように、本願の請求項１に係る発明によれば、交換に際して、本体は既設のものを使用するので、複数枚を重ね合わせてもコンパクトなラベル体のみを持参すればよく、運搬が容易なうえ、ラベル体の外面側を手のひらで包むようにして持ち、適当に撓ませながら、その各係止部の係止片を、本体の各凹所に挿入し、前記凹所の離脱阻止縁に係止させれば組み立てられるので、ペットボトル見本の交換作業に手間がかからないほか、被係止部は、本体を成型する際に形成することが可能で、特別な加工を施す必要がないという効果を奏する。
【図面の簡単な説明】
【図１】ペットボトル見本の組み立てる前の状態を示す斜視図。
【図２】ペットボトル本体の正面図。
【図３】ラベル体の裏面図。
【図４】組み立てた状態のペットボトル見本の側面図。
【図５】図４のＡ−Ａ線断面図。
【符号の説明】
１      ペットボトル見本
２      胴部
３      被係止部
４      本体
５      係止部
６      ラベル本体
７      凹所
８      離脱阻止縁
９      係止片
【図１】
2004152019.tif 000003
【図２】
2004152019.tif 000004
【図３】
2004152019.tif 000005
【図４】
2004152019.tif 000006
【図５】
2004152019.tif 000007